(57)【要約】【課題】カラーコピーシステムにおいて、簡易にコピー対象色を調整する技術を提供する。【解決手段】ユーザインタフェース部５０は、操作者から特定色の印刷あるいは特定色以外の印刷の指示を受け付ける。原稿のカラーコピーに際し、スキャナ部３０は、原稿のＲＧＢ画像信号に対し、利用者の指示に基づくフィルタ処理を行ない、特定色のみのＲＧＢ画像信号を出力、あるいは、特定色以外のＲＧＢ画像信号を出力する。プリンタ部４０が、スキャナ部３０が出力したＲＧＢ画像信号に基づいて印刷を行なうことにより特定色のコピーあるいは特定色を除いたコピーが行なわれる。【選択図】　図１
2004007044.tif 000002
【特許請求の範囲】
【請求項１】
原稿を読み取って画像データに変換する原稿読み取り部と、
色の指定を受け付ける色指定受付部と、
画像データから指定に係る色以外の色の情報を除いた画像データを生成するフィルター手段と、
画像データに基づいて印刷を行なう印刷部とを備えたことを特徴とするカラーコピーシステム。
【請求項２】
原稿を読み取って画像データに変換する原稿読み取り部と、
色の指定を受け付ける色指定受付部と、
画像データから指定に係る色の情報を除いた画像データを生成するフィルター手段と、
画像データに基づいて印刷を行なう印刷部とを備えたことを特徴とするカラーコピーシステム。
【請求項３】
請求項１または２に記載のカラーコピーシステムにおいて、
前記色指定受付部は、指定可能な色を選択可能な状態で提示して、色の指定を受け付けることを特徴とするカラーコピーシステム。
【請求項４】
請求項１〜３のいずれか一項に記載のカラーコピーシステムにおいて、
前記フィルター手段は、原稿読み取り部に備えられたことを特徴とするカラーコピーシステム。
【請求項５】
請求項１〜３のいずれか一項に記載のカラーコピーシステムにおいて、
前記フィルター手段は、印刷部に備えられたことを特徴とするカラーコピーシステム。
【請求項６】
原稿を読み取って画像データに変換するスキャナと、印刷データに基づいて印刷を行なうプリンタとが接続される情報処理装置であって、
色の指定を受け付ける色指定受付手段と、
スキャナから入力した画像データから指定に係る色以外の色の情報を除いた画像データを生成するフィルター手段と、
画像データに基づく印刷データを生成する印刷データ生成手段とを備えることを特徴とする情報処理装置。
【請求項７】
原稿を読み取って画像データに変換するスキャナと、印刷データに基づいて印刷を行なうプリンタとが接続される情報処理装置であって、
色の指定を受け付ける色指定受付手段と、
スキャナから入力した画像データから指定に係る色の情報を除いた画像データを生成するフィルター手段と、
画像データに基づく印刷データを生成する印刷データ生成手段とを備えることを特徴とする情報処理装置。
【請求項８】
請求項６または請求項７に記載の情報処理装置において、
前記色指定受付手段は、指定可能な色を選択可能な状態で提示して、色の指定を受け付けることを特徴とする情報処理装置。
【請求項９】
請求項８に記載の情報処理装置において、
前記色指定受付手段は、さらに、指定に係る色とみなす色の範囲の指定を受け付けることを特徴とする情報処理装置。
【請求項１０】
原稿を読み取って画像データに変換するスキャナと、印刷データに基づいて印刷を行なうプリンタとが接続される情報処理装置で実行可能なプログラムであって、
色の指定を受け付ける色指定受付処理と、
スキャナから入力した画像データから指定に係る色以外の色の情報を除いた画像データを生成するフィルター処理と、
画像データに基づく印刷データを生成する印刷データ生成処理とを情報処理装置に実行させることを特徴とするプログラム。
【請求項１１】
原稿を読み取って画像データに変換するスキャナと、印刷データに基づいて印刷を行なうプリンタとが接続される情報処理装置で実行可能なプログラムであって、
色の指定を受け付ける色指定受付処理と、
スキャナから入力した画像データから指定に係る色の情報を除いた画像データを生成するフィルター処理と、
画像データに基づく印刷データを生成する印刷データ生成処理とを情報処理装置に実行させることを特徴とするプログラム。
【請求項１２】
請求項１０または請求項１１に記載のプログラムにおいて、
前記色指定受付処理は、指定可能な色を選択可能な状態で提示して、色の指定を受け付けることを特徴とするプログラム。
【請求項１３】
請求項１２に記載のプログラムにおいて、
前記色指定受付処理は、さらに、指定に係る色とみなす色の範囲の指定を受け付けることを特徴とするプログラム。
【請求項１４】
請求項１０〜１３のいずれか一項に記載のプログラムを記録した情報処理装置読み取り可能な記録媒体。
【発明の詳細な説明】
【０００１】
【発明の属する技術分野】
本発明は、カラーコピーシステムに係り、特に、原稿の特定の色あるいは特定の色以外の色を対象にカラーコピーを行なうカラーコピーシステムに関する。
【０００２】
【従来の技術】
近年、原稿をカラーでコピーすることができるカラーコピーシステムが普及してきている。一般に、カラーコピーシステムは、原稿読み取り機能と、画像処理機能と、印刷機能とを備えており、原稿読み取り機能を用いて読み込んだ原稿の画像に対し、画像処理機能を用いて画像処理を行ない、この画像を印刷機能を用いて印刷することで原稿のカラーコピーが行なわれるようになっている。
【０００３】
このようなカラーコピーシステムを用いてカラーコピーを行なうことにより、原稿の色情報をそのまま維持したコピー結果を得ることができる。
【０００４】
【発明が解決しようとする課題】
しかし、カラーコピーの目的等によっては、原稿の色情報とは異なるコピー結果を得たい場合がある。例えば、特定の色で記載されている情報のみをコピーしたい場合、逆に、原稿中に特定の色で記載されている情報を除いてコピーしたい場合等である。
【０００５】
このような場合、従来は、原稿そのものから特定の色以外の部分を消したり、特定の色を消してからカラーコピーを実行するか、あるいは、例えば、画像処理用のアプリケーションを用いて、読み込んだ原稿の画像から、特定の色の情報を抜き出したり、特定の色の情報を消去した上で、印刷を実行するようにせざるを得ず、操作者の負担が大きかった。
【０００６】
本発明の目的は、カラーコピーシステムにおいて、簡易にコピー対象色を調整する技術を提供することにある。
【０００７】
【課題を解決するための手段】
上記課題を解決するため、本発明の第１の態様によれば、
原稿を読み取って画像データに変換する原稿読み取り部と、
色の指定を受け付ける色指定受付部と、
画像データから指定に係る色以外の色の情報を除いた画像データを生成するフィルター手段と、
画像データに基づいて印刷を行なう印刷部とを備えたことを特徴とするカラーコピーシステムが提供される。
【０００８】
ここで、フィルター手段は、画像データから指定に係る色の情報を除いた画像データを生成するようにしてもよい。
【０００９】
また、上記課題を解決するため、本発明の第２の態様によれば、
原稿を読み取って画像データに変換するスキャナと、印刷データに基づいて印刷を行なうプリンタとが接続される情報処理装置であって、
色の指定を受け付ける色指定受付手段と、
スキャナから入力した画像データから指定に係る色以外の色の情報を除いた画像データを生成するフィルター手段と、
画像データに基づく印刷データを生成する印刷データ生成手段とを備えることを特徴とする情報処理装置が提供される。
【００１０】
ここで、フィルター手段は、画像データから指定に係る色の情報を除いた画像データを生成するようにしてもよい。
【００１１】
さらに、上記課題を解決するため、本発明の第３の態様によれば、
原稿を読み取って画像データに変換するスキャナと、印刷データに基づいて印刷を行なうプリンタとが接続される情報処理装置で実行可能なプログラムであって、
色の指定を受け付ける色指定受付処理と、
スキャナから入力した画像データから指定に係る色以外の色の情報を除いた画像データを生成するフィルター処理と、
画像データに基づく印刷データを生成する印刷データ生成処理とを情報処理装置に実行させることを特徴とするプログラムが提供される。
【００１２】
ここで、フィルター処理は、画像データから指定に係る色の情報を除いた画像データを生成するようにしてもよい。
【００１３】
【発明の実施の形態】
本発明の実施の形態について、図面を参照して説明する。
【００１４】
本発明は、カラーコピーシステムに好適に適用することができるが、カラーコピーシステムは、種々の態様が考えられる。例えば、１）カラーコピー装置、２）カラープリンタにスキャナ機能を備えて構成したスキャナ機能付きプリンタ、３）スキャナとカラープリンタとが接続されたコンピュータシステム等である。
【００１５】
いずれの態様も、基本的に、スキャナ部とプリンタ部と制御部とを備え、スキャナ部で読み込んだ画像を、プリンタ部で印刷させるものであり、このための処理を制御部で制御するようになっている。そして、１）カラーコピー装置では、これらの部位が一体化された構成となっており、２）スキャナ機能付きプリンタでは、制御部とプリンタ部とを備えたプリンタにスキャナ部を付加した構成となっており、３）コンピュータシステムでは、スキャナ、カラープリンタ、コンピュータシステムがそれぞれスキャナ部、プリンタ部、制御部として機能するような構成となっている。本願発明は、いずれの態様についても適用することができる
図１は、本発明の第１の実施形態の構成の概要を説明するためのブロック図である。本実施形態は、スキャナ機能付きプリンタにおいて、原稿をカラーコピーする場合を例に説明する。
【００１６】
本図において、スキャナ機能付きプリンタ１０は、スキャナ機能付きプリンタ１０の各処理を制御する制御部２０と、原稿を読み取ってＲＧＢ信号（Ｒ：赤、Ｇ：緑、Ｂ：青）に変換するスキャナ部３０と、ＲＧＢ信号をＣＭＹ信号（Ｃ：シアン、Ｍ：マゼンタ、Ｙ：イエロー）に変換し、印刷を行なうプリンタ部４０と、ユーザからの指示を受け付けたり、スキャナ機能付きプリンタ１０の状態等を表示するためのユーザインタフェース部５０とを備えて構成される。スキャナ機能付きプリンタ１０は、スキャナ部３０で読み込んだ原稿を、プリンタ部４０で印刷できるとともに、図示しないホストコンピュータから送られる印刷データを読み込み、プリンタ部４０で印刷することができる。ただし、スキャナ機能付きプリンタ１０の構成はこれに限られない。なお、カラーコピー装置についてもほぼ同様に構成することができる。
【００１７】
スキャナ部３０は、光源、レンズ、走査用モータ、ＣＣＤ（Ｃｈａｒｇｅ　Ｃｏｕｐｌｅｄ　Ｄｅｖｉｃ）センサ等から構成される読取エンジン部３１とＡ／Ｄ変換部３２とを備えている。読取エンジン部３１は、原稿に光を当てながら走査し、その反射光を赤（Ｒ）、緑（Ｇ）、青（Ｂ）のフィルタをかけたＣＣＤセンサに導く処理を行なう。Ａ／Ｄ変換部３２は、ＣＣＤセンサが読み取ったＲＧＢそれぞれについての濃淡のアナログ情報をデジタル信号化（ＲＧＢ信号）して出力する。また、Ａ／Ｄ変換部３２は、フィルタ部３２ａを備えており、ユーザインタフェース部５０から指定された色のみ、あるいは、指定された色以外の色についてＲＧＢ信号として出力することができるようになっている。
【００１８】
プリンタ部４０は、画像処理部４１と印刷エンジン部４２とを備えている。画像処理部４１は、色変換の組合せを記録したルックアップテーブルを参照して、ＲＧＢ信号をＣＭＹ信号に変換する。そして、ハーフトーン処理等の画像処理を施した後、印刷エンジン部４２で印刷可能なデータ構成に変換する。印刷エンジン部４２は、画像処理部４１が生成したデータを基に、印刷を行なう。印刷エンジン部４２の印刷方式は、例えば、インクジェット方式、レーザ方式等とすることができる。
【００１９】
ユーザインタフェース部５０は、入出力装置５１を備えている。図２は、入出力装置５１の外観の一例を説明するための図である。本図に示すように入出力装置５１は、スキャナ機能付きプリンタ１０状態、メニュー内容等を表示する液晶表示部５２と、ユーザからの操作を受け付けるための操作ボタン群５３とを備えている。
【００２０】
本実施形態では、操作ボタン群５３の操作により、図２（ａ）に示すように、印刷する色を指定するためのメニューを表示し、色の指定を受け付けることができるようになっている。色の指定は、例えば、あらかじめ定めた色の中から操作ボタン群５３の操作により選択できるようにする。
【００２１】
また、図２（ｂ）に示すように、印刷しない色を指定するためのメニューを表示し、色の指定を受け付けることができるようになっている。
【００２２】
もちろん、印刷する色あるいは印刷しない色の一方のみを表示し、色を指定できるようにしてもよい。
【００２３】
次に、本実施形態における原稿のカラーコピー処理について図３のフロー図を参照して説明する。
【００２４】
まず、スキャナ部３０の読取エンジン部３１でカラーコピーに係る原稿を読み取る（Ｓ１００）。そして、読取った原稿の反射光に基づく信号をＡ／Ｄ変換部３２が、例えば、各色８ビット（０〜２５５）のＲＧＢ信号に変換する（Ｓ１０１）。
【００２５】
そして、特定の色、あるいは、特定の色以外の印刷を行なうような指定が行なわれているかどうかを判断する（Ｓ１０２）。
【００２６】
その結果、指定が行なわれている場合には、フィルタ部３２ａがＲＧＢ信号のフィルタ処理を行なう（Ｓ１０３）。このフィルタ処理は、特定の色の印刷が指定されている場合には、指定に係る色のＲＧＢ信号のみを出力するようにし、特定の色以外の印刷を行なうような指定が行なわれている場合には、指定に係る色以外のＲＧＢ信号を出力するようにする。このため、フィルタ部３２ａでは、指定可能な各色ごとに、あるＲＧＢ値が、その色であると判断するための規則を参照できるようになっている。この規則は、例えば、ＲＧＢ値と色とを対応付けたテーブルとすることができる、このテーブルには、例えば、Ｒ値が１２５以上で、Ｒの比率が８０％以上は赤と判断する等の規則が記録することができる。もちろん、ＲＧＢ値から色を判断する方法はこれに限られない。
【００２７】
一方、指定が行なわれていない場合には、フィルタ部３２ａによる処理は行なわずに、ＲＧＢ信号をそのまま出力する。
【００２８】
そして、画像処理部４１が、Ａ／Ｄ変換部３２により出力されたＲＧＢ信号をＣＭＹ信号に変換する（Ｓ２０１）。そして、ハーフトーン処理等の所定の画像処理を施す（Ｓ２０２）。この信号に基づいて、印刷エンジン部４２が印刷を実行すること（Ｓ２０３）により、原稿のカラーコピーが終了する。
【００２９】
次に、第１の実施形態の変形例について説明する。
【００３０】
図４は、本発明の第１の実施形態の変形例の構成の概要を説明するためのブロック図である。第１の実施形態の変形例の第１の実施形態との差は、第１の実施形態では、スキャナ部が備えていたフィルタ部３２ａをプリンタ部に備えるようにした点である。他の点については、第１の実施形態と同様である。このため、図１と同じ符号を用いている。
【００３１】
本図において、画像処理部４１は、図１で説明した構成に加え、フィルタ部４１ａを備えており、ユーザインタフェース部５０から指定された色のみ、あるいは、指定された色以外の色についてのＣＭＹ信号を出力することができるようになっている。
【００３２】
次に、第１の実施形態の変形例における原稿のカラーコピー処理について図５のフロー図を参照して説明する。本図においても、第１の実施例と同じ処理については同じ符号を用いている。
【００３３】
まず、スキャナ部３０の読取エンジン部３１でカラーコピーに係る原稿を読み取る（Ｓ１００）。そして、読取った原稿の反射光に基づく信号をＡ／Ｄ変換部３２が、例えば、各色８ビット（０〜２５５）のＲＧＢ信号に変換する（Ｓ１０１）。
【００３４】
次に、画像処理部４１が、Ａ／Ｄ変換部３２により出力されたＲＧＢ信号をＣＭＹ信号に変換する（Ｓ２０１）。
【００３５】
そして、特定の色、あるいは、特定の色以外の印刷を行なうような指定が行なわれているかどうかを判断する（Ｓ２０４）。
【００３６】
その結果、指定が行なわれている場合には、フィルタ部４１ａがＣＭＹ信号のフィルタ処理を行なう（Ｓ２０５）。このフィルタ処理は、特定の色の印刷が指定されている場合には、指定に係る色のＣＭＹ信号のみを出力するようにし、特定の色以外の印刷を行なうような指定が行なわれている場合には、指定に係る色以外のＣＭＹ信号を出力するようにする。このため、フィルタ部４１ａでは、指定可能な各色ごとに、あるＣＭＹ値が、その色であると判断するための規則を参照できるようになっている。この規則は、例えば、ＣＭＹ値と色とを対応付けたテーブルとすることができる、このテーブルには、例えば、Ｙ値が１２５以上で、Ｙの比率が８０％以上は黄と判断する等の規則が記録することができる。もちろん、ＣＭＹ値から色を判断する方法はこれに限られない。
【００３７】
一方、指定が行なわれていない場合には、フィルタ部４１ａによる処理は行なわない。
【００３８】
そして、画像処理部４１は、ハーフトーン処理等の所定の画像処理を施す（Ｓ２０２）。この信号に基づいて、印刷エンジン部４２が印刷を実行すること（Ｓ２０３）により、原稿のカラーコピーが終了する。
【００３９】
次に、本発明の第２の実施形態について説明する。
【００４０】
図６は、本発明の第２の実施形態の構成の概要を説明するためのブロック図である。本実施形態は、スキャナとカラープリンタとが接続されたコンピュータシステム（情報処理装置）において、原稿をカラーコピーする場合を例に説明する。
【００４１】
本図において、コンピュータ１２０には、スキャナ１３０とプリンタ１４０とが接続されている。本コンピュータシステムでは、スキャナ１３０で読み込んだ原稿の画像データを、コンピュータ１２０で画像処理して、プリンタ１４０で印刷するようになっている。
【００４２】
スキャナ１３０は、光源、レンズ、走査用モータ、ＣＣＤ（Ｃｈａｒｇｅ　Ｃｏｕｐｌｅｄ　Ｄｅｖｉｃ）センサ等から構成される読取エンジン部１３１とＡ／Ｄ変換部１３２とを備えている。読取エンジン部１３１は、原稿に光を当てながら走査し、その反射光を赤（Ｒ）、緑（Ｇ）、青（Ｂ）のフィルタをかけたＣＣＤセンサに導く処理を行なう。Ａ／Ｄ変換部１３２は、ＣＣＤセンサが読み取ったＲＧＢそれぞれについての濃淡のアナログ情報をデジタル信号化（ＲＧＢ信号）して、コンピュータ１２０に出力する。
【００４３】
プリンタ１４０は、印刷処理部１４１と印刷エンジン部１４２とを備えている。印刷処理部１４１は、コンピュータ１２０が出力する印刷データを解釈して印刷エンジン部１４２を制御する。印刷エンジン部１４２は、実際の印字を行なう。印刷エンジン部１４２の印刷方式は、例えば、インクジェット方式、レーザ方式等とすることができる。
【００４４】
コンピュータ１２０は、スキャナ１３０から入力するＲＧＢ画像データを、ＣＭＹ画像データに変換し、所定の画像処理を行なってプリンタ１４０に出力する処理を行なう。
【００４５】
コンピュータ１２０の動作を制御する制御部１２１と、画像処理部１２２と、ユーザインタフェース部１２３とを備えている。
【００４６】
コンピュータ１２０は、カラーコピーに際し、特定の色、あるいは、特定の色以外の印刷を行なうような指定をユーザから受け付けることができる。ユーザインタフェース部５０は、このための画面をコンピュータ１２０に接続される表示装置に表示して、指定を受け付けるための処理を行なう。
【００４７】
図７は、ユーザインタフェース部５０が、特定の色以外の印刷を行なうような指定をユーザから受け付けるために、表示装置に表示させる画面の例を説明するための図である。
【００４８】
ユーザインタフェース部５０は、ユーザからカラーコピーの指示を受け付けると図７（ａ）に一例を示すようなコピー条件設定画面を表示装置に表示させる。コピー条件設定画面５００は、原稿の種類を選択する欄５０１と、コピー画質を選択する欄５０１と、コピー枚数を指定する欄５０３とに加え、印刷色設定欄５０４を備えている。
【００４９】
印刷色設定欄５０４では、従来のカラー／モノクロ指定に加え、特定色印刷の指示ができるようになっている。そして、ユーザインタフェース部５０は、印刷色設定欄５０４で、「特定色」の指示を受け付けた状態で、色指定ボタン５０４ａのクリックを受け付けると、図７（ｂ）に一例を示すような色指定画面５２０を表示装置に表示させる。
【００５０】
色指定画面５２０では、特定色のみの印刷／特定色以外の印刷の選択（５２１）と、特定色の指定（５２２）と、色範囲の設定（５２３）とができるようになっている。また、本実施形態では、特定色の指定では、あらかじめ用意された色以外の色も設定できるようになっている。すなわち、ユーザインタフェース部５０は、特定色の指定欄５２２で「設定」の指定を受け付けた状態で、色設定ボタン５２２ａのクリックを受け付けると、図７（ｃ）に一例を示すような色設定画面５４０を表示装置に表示させる。
【００５１】
色設定画面５４０では、色のサンプルが表示されており、ユーザは、そのサンプルの中から特定色を設定できるようになっている。もちろん、色のサンプルの表示方法は任意の形態をとることができる。
【００５２】
また、図７（ｂ）に一例を示した色指定画面５２０では、色範囲を設定する欄（５２３）が設けられている。色範囲は、特定色とみなす色の範囲であり、本欄で「狭く」を設定すると、特定色とみなされる色の範囲が狭くなり、「広く」を設定すると、特定色とみなされる色の範囲が広くなるようになっている。例えば、特定色を「赤」とした場合、赤っぽい色は、色範囲を広く設定した場合には、「赤」とみなされるが、色範囲を狭く設定した場合には「赤」とみなされないようになる。
【００５３】
次に、第２の実施形態におけるコンピュータ１２０のカラーコピー処理について図８のフロー図を参照して説明する。なお、以下の処理は、例えば、コンピュータ１２０にインストールしたアプリケーションソフトウェアにより実行することができる。
【００５４】
コンピュータ１２０は、スキャナ１３０から、スキャナ１３０が読み取った原稿のＲＧＢ信号を受け付ける（Ｓ３０１）。
【００５５】
そして、コピー条件設定画面５００で、特定の色、あるいは、特定の色以外の印刷を行なうような指定が行なわれているかどうかを判断する（Ｓ３０２）。
【００５６】
その結果、指定が行なわれている場合には、フィルタ部１２２ａがＲＧＢ信号のフィルタ処理を行なう（Ｓ３０３）。このフィルタ処理は、特定の色の印刷が指定されている場合には、指定に係る色のＲＧＢ信号のみを出力するようにし、特定の色以外の印刷を行なうような指定が行なわれている場合には、指定に係る色以外のＲＧＢ信号を出力するようにする。このため、フィルタ部１２２ａでは、指定可能な各色ごとに、あるＲＧＢ値が、その色であると判断するための規則を参照できるようになっている。
【００５７】
このとき、色設定画面５４０で、特定色についてユーザにより色が設定されている場合には、設定に係る色のＲＧＢ値を取得するものとする。また、色指定画面５２０で、色範囲が設定されている場合には、その広狭に応じてＲＧＢ値と色との対応付けを変更するものとする。例えば、Ｒ値が１２５以上で、Ｒの比率が８０％以上は赤と判断する等の規則があった場合に、色範囲が広く設定されている場合には、例えば、Ｒ値が１００以上で、Ｒの比率が６０％以上は赤と判断するというように、赤と判断する範囲を広くし、一方、色範囲が狭く設定されている場合には、例えば、Ｒ値が１５０以上で、Ｒの比率が９０％以上は赤と判断するというように、赤と判断する範囲を狭くするようにする。
【００５８】
一方、指定が行なわれていない場合には、フィルタ部１２２ａによる処理は行なわない。
【００５９】
次に、画像処理部１２２は、ＲＧＢ信号をＣＭＹ信号に変換し（Ｓ３０４）、ハーフトーン処理等の所定の画像処理を施す（Ｓ３０５）。そして、処理後の画像データを印刷データとして、プリンタ１４０に出力する（Ｓ３０６）。この印刷データに基づいて、プリンタ１４０が印刷を行なうことで原稿のカラーコピーが終了する。
【００６０】
【発明の効果】
上述のように、本発明によれば、カラーコピーシステムにおいて、簡易にコピー対象色を調整する技術を提供することができる。
【図面の簡単な説明】
【図１】は、、本発明の第１の実施形態の構成の概要を説明するためのブロック図である。
【図２】は、入出力装置５１の外観の一例を説明するための図である。
【図３】は、第１の実施形態における原稿のカラーコピー処理について説明するためのフロー図である。
【図４】は、本発明の第１の実施形態の変形例の構成の概要を説明するためのブロック図である。
【図５】は、第１の実施形態の変形例における原稿のカラーコピー処理について説明するためのフロー図である。
【図６】は、本発明の第２の実施形態の変形例の構成の概要を説明するためのブロック図である。
【図７】は、ユーザインタフェース部５０が、表示装置に表示させる画面の例を説明するための図である。
【図８】は、第２の実施形態におけるコンピュータ１２０の原稿のカラーコピー処理について説明するためのフロー図である。
【符号の説明】
１０…スキャナ機能付きプリンタ
２０…制御部
３０…スキャナ部
３１…読取エンジン部
３２…Ａ／Ｄ変換部
３２ａ…フィルタ部
４０…プリンタ部
４１…画像処理部
４１ａ…フィルタ部
４２…印刷エンジン部
５０…ユーザインタフェース部
５１…入出力装置
５２…液晶表示部
５３…操作ボタン群
１２０…コンピュータ
１２１…制御部
１２２…画像処理部
１２２ａ…フィルタ部
１２３…ユーザインタフェース部
１３０…スキャナ
１３１…読取エンジン部
１３２…Ａ／Ｄ変換部
１４０…プリンタ
１４１…印刷処理部
１４２…印刷エンジン部
【図１】
2004007044.tif 000003
【図２】
2004007044.tif 000004
【図３】
2004007044.tif 000005
【図４】
2004007044.tif 000006
【図５】
2004007044.tif 000007
【図６】
2004007044.tif 000008
【図７】
2004007044.tif 000009
【図８】
2004007044.tif 000010